(57)【要約】【課題】太陽光の変化にかかわらず、また太陽電池モジュールの出力電流の小さい曇天時の場合や、アモルファス太陽電池のような高電圧、低電流タイプの太陽電池を用いた太陽電池モジュールの場合でも、太陽電池モジュールの並列接続の確認を正確かつ容易に行うことができるようにする。【解決手段】  太陽電池モジュール１−１，１−２，……，１−ｍに設けた電力取り出し用の配線を隣接する太陽電池モジュールの配線と接続して、複数の太陽電池モジュール１−１，１−２，……，１−ｍを順次並列に接続し、最初に設置した太陽電池モジュール１−１の配線と設置し終わった最後の太陽電池モジュール１−ｍの配線に流れる電流を電流計４ａ，４ｂによりそれぞれ測定し、測定した二つの電流値Ｉａ，Ｉｂを比較することにより複数の太陽電池モジュール１−１，１−２，……，１−ｍの並列接続の配線を確認する。【選択図】  図１
2006222120.tif 000002
【特許請求の範囲】
【請求項１】
太陽電池モジュールに設けた電力取り出し用の配線を隣接する太陽電池モジュールの配線と接続して、複数の太陽電池モジュールを順次並列に接続し、
最初に設置した太陽電池モジュールの配線と設置し終わった最後の太陽電池モジュールの配線に流れる電流をそれぞれ測定し、
前記測定した二つの電流値を比較することにより前記複数の太陽電池モジュールの並列接続の配線を確認することを特徴とする太陽電池モジュールの配線確認方法。
【請求項２】
前記測定した二つの電流値が同じである場合に、前記複数の太陽電池モジュールが正常に接続されていると確認することを特徴とする請求項１記載の太陽電池モジュールの配線確認方法。
【請求項３】
偶数の太陽電池モジュールの並列接続を確認する太陽電池モジュールの配線確認方法において、
前記太陽電池モジュールに設けた電力取り出し用の配線を隣接する太陽電池モジュールの配線と接続して、前記偶数の太陽電池モジュールを順次並列に接続するとともに、
設置する前記太陽電池モジュールと同一の太陽電池モジュールを前記並列に接続した太陽電池モジュール列の一端側に更に並列に接続し、
前記更に接続した太陽電池モジュールの配線に流れる電流と前記太陽電池モジュール列の他端側の太陽電池モジュールの配線に流れる電流をそれぞれ測定し、
前記測定した二つの電流値を比較することにより前記偶数の太陽電池モジュールの並列接続の配線を確認することを特徴とする太陽電池モジュールの配線確認方法。
【請求項４】
前記測定した二つの電流値が同じである場合に、前記偶数の太陽電池モジュールが正常に接続されていると確認することを特徴とする請求項３記載の太陽電池モジュールの配線確認方法。
【発明の詳細な説明】
【技術分野】
【０００１】
本発明は、複数の太陽電池モジュールの並列接続を確認する太陽電池モジュールの配線確認方法、特に建物の屋根などに設置される複数の太陽電池モジュールの配線確認方法に関する。
【背景技術】
【０００２】
建物の屋根などに複数の太陽電池モジュールを設置し、それらの太陽電池モジュールを並列に接続して所定の出力電流を得る太陽電池アレイにおいては、各太陽電池モジュールの並列接続を確認することが必要である。このような太陽電池モジュールの配線確認方法として、太陽光の変化にかかわらず、容易に複数の太陽電池モジュールの並列接続を確認することが可能な方法が提案されている（例えば特許文献１参照）。
【０００３】
この方法は、実際に施工面に複数設置する太陽電池モジュールと同じ太陽電池モジュールを基準太陽電池モジュールとして施工面に設置し、並列接続した複数の太陽電池モジュールから出力される電流値と基準太陽電池モジュールから出力される電流値とを比較し、それらの電流値の比が太陽電池モジュールの並列接続数と等しい関係にある場合に、設置した太陽電池モジュールが全て正しく接続されたと判断するものである。
【特許文献１】特開２００２−３２９８７５号公報
【発明の開示】
【発明が解決しようとする課題】
【０００４】
しかし、上記のような従来の太陽電池モジュールの配線確認方法では、太陽電池モジュールからの出力電流が小さくなる曇天時の場合や、アモルファス太陽電池のような高電圧、低電流タイプの太陽電池を用いた太陽電池モジュールの場合には、基準太陽電池モジュールからの電流の読み値と並列接続した太陽電池モジュールからの電流の読み値の比が設置した太陽電池モジュール数と等しくならない可能性があり、正確に太陽電池モジュールの配線を確認することができない問題がある。
【０００５】
本発明はこのような点に鑑みてなされたものであり、太陽光の変化にかかわらず、また太陽電池モジュールの出力電流の小さい曇天時の場合や、アモルファス太陽電池のような高電圧、低電流タイプの太陽電池を用いた太陽電池モジュールの場合でも、太陽電池モジュールの並列接続の確認を正確かつ容易に行うことができる太陽電池モジュールの配線確認方法を提供することを目的とする。
【課題を解決するための手段】
【０００６】
本発明では上記課題を解決するために、太陽電池モジュールに設けた電力取り出し用の配線を隣接する太陽電池モジュールの配線と接続して、複数の太陽電池モジュールを順次並列に接続し、最初に設置した太陽電池モジュールの配線と設置し終わった最後の太陽電池モジュールの配線に流れる電流をそれぞれ測定し、前記測定した二つの電流値を比較することにより前記複数の太陽電池モジュールの並列接続の配線を確認することを特徴とする太陽電池モジュールの配線確認方法が提供される。
【０００７】
このような太陽電池モジュールの配線確認方法によれば、最初の太陽電池モジュールの配線と最後の太陽電池モジュールの配線に流れる電流をそれぞれ測定して比較することで複数の太陽電池モジュールの並列接続の配線を容易に確認することができる。
【０００８】
また、本発明では上記課題を解決するために、偶数の太陽電池モジュールの並列接続を確認する太陽電池モジュールの配線確認方法において、前記太陽電池モジュールに設けた電力取り出し用の配線を隣接する太陽電池モジュールの配線と接続して、前記偶数の太陽電池モジュールを順次並列に接続するとともに、設置する前記太陽電池モジュールと同一の太陽電池モジュールを前記並列に接続した太陽電池モジュール列の一端側に更に並列に接続し、前記更に接続した太陽電池モジュールの配線に流れる電流と前記太陽電池モジュール列の他端側の太陽電池モジュールの配線に流れる電流をそれぞれ測定し、前記測定した二つの電流値を比較することにより前記偶数の太陽電池モジュールの並列接続の配線を確認することを特徴とする太陽電池モジュールの配線確認方法が提供される。
【０００９】
このような太陽電池モジュールの配線確認方法によれば、更に接続した太陽電池モジュールの配線と反対側の太陽電池モジュールの配線に流れる電流をそれぞれ測定して比較することで偶数の太陽電池モジュールの並列接続の配線を容易に確認することができる。
【発明の効果】
【００１０】
本発明の太陽電池モジュールの配線確認方法は、複数の太陽電池モジュールを順次並列に接続し、最初と最後の太陽電池モジュールの配線に流れる電流を比較することで複数の太陽電池モジュールの並列接続を確認することができるので、太陽光の変化にかかわらず、また太陽電池モジュールの出力電流の小さい曇天時の場合や、アモルファス太陽電池のような高電圧、低電流タイプの太陽電池を用いた太陽電池モジュールの場合でも、太陽電池モジュールの並列接続の確認を正確かつ容易に行うことができるという利点がある。
【００１１】
また、本発明の太陽電池モジュールの配線確認方法は、偶数の太陽電池モジュールを順次並列に接続するとともに、同一の太陽電池モジュールを更に並列に接続し、この太陽電池モジュールの配線と反対側の太陽電池モジュールの配線に流れる電流を比較することで偶数の太陽電池モジュールの並列接続を確認することができるので、太陽光の変化にかかわらず、また太陽電池モジュールの出力電流の小さい曇天時の場合や、アモルファス太陽電池のような高電圧、低電流タイプの太陽電池を用いた太陽電池モジュールの場合でも、偶数の太陽電池モジュールの並列接続の確認を正確かつ容易に行うことができるという利点がある。
【発明を実施するための最良の形態】
【００１２】
以下、本発明の実施の形態を図面を参照して説明する。
図１は本発明の第１の実施の形態の太陽電池モジュールの配線確認方法を示す説明図である。この太陽電池モジュールは屋根等の施工面に設置されるもので、ここではｍ個（ｍは２以上の正数）の太陽電池モジュールを並列接続する場合を示している。この太陽電池モジュールは、一つで不図示のインバータに必要な起電力を発生するが、具体的には約４００Ｖの起電力が得られるものである。
【００１３】
ｍ個の太陽電池モジュール１−１，１−２，……，１−ｍは、電力取り出し用の配線である電力ケーブル２を有しており、隣接する太陽電池モジュールの電力ケーブル２と直接出力コネクタ３を介して接続される。この隣接する太陽電池モジュールの電気的接続は、全てプラス側同士、マイナス側同士が接続され、全ての太陽電池モジュール１−１，１−２，……，１−ｍが順次並列に接続される。そして、この太陽電池モジュール群の両端の太陽電池モジュール１−１，１−ｍの出力コネクタ３にそれぞれ電流計４ａ，４ｂが接続される。
【００１４】
図２は本実施の形態における太陽電池モジュールの構成を示す平面図である。また、図３は太陽電池モジュールの電力取り出しの構造を示す断面図である。
太陽電池モジュール１には、複数（ここでは四つ）の太陽電池セル５ａ，５ｂ，５ｃ，５ｄが一方向に配列されており、隣接する太陽電池セル間は導電性粘着テープ６ａ，６ｂ，６ｃ，６ｄにより電気的に直列に接続されている。太陽電池モジュール１の出力電力を外部に取り出すための電極用配線７ａ，７ｂは、直列接続された太陽電池セル群の両端に配置されている。これらの太陽電池セル５ａ，５ｂ，５ｃ，５ｄ、導電性粘着テープ６ａ，６ｂ，６ｃ，６ｄ及び電極用配線７ａ，７ｂは、エチレン酢酸ビニル共重合体樹脂（ＥＶＡ）などの熱融着性プラスチックである充填材（下側充填材８及び上側充填材９）によって封止されている。
【００１５】
具体的には、下側充填材８の上に太陽電池セル５ａ，５ｂ，５ｃ，５ｄ、導電性粘着テープ６ａ，６ｂ，６ｃ，６ｄ及び電極用配線７ａ，７ｂが配置され、その上に上側充填材９を載置して熱融着させることにより一体化された構造となっている。そして、充填材の上面には耐候性フィルムとしてＥＴＦＥ（エチレン−テトラフルオロエチレン）などのフッ素系フィルムを用いた表面保護材１０が設けられ、下面にはその用途に応じてＥＴＦＥ、金属系あるいは樹脂系の板などの裏面保護材１１が設けられている。
【００１６】
更に、太陽電池モジュール１の裏側には電力取り出し用の端子ボックス１２ａ，１２ｂが両端に設けられている。電極用配線７ａ，７ｂの各端部は、太陽電池セル５ａ，５ｂ，５ｃ，５ｄを封止する前に、下側充填材８と裏面保護材１１に予め設けられた不図示の貫通部を通して太陽電池モジュール１の外側に取り出され、その後、封止が行われる。
【００１７】
太陽電池モジュール１の端子ボックス１２ａ，１２ｂが取り付けられる面には、電極用配線７ａ，７ｂを端子ボックス１２ａ，１２ｂの内部に入れるための穴が設けられており、電極用配線７ａ，７ｂは各々この穴を通して端子ボックス１２ａ，１２ｂ内に導かれる。また、端子ボックス１２ａ，１２ｂには、太陽電池モジュール１からの電力を取り出し、かつ太陽電池モジュール同士を接続するための電力ケーブル２が貫通して配置されている。この電力ケーブル２は、２本の導電体１３ａ，１３ｂを内蔵しており、各端子ボックス１２ａ，１２ｂ内では、太陽電池モジュール１から導き出された電極用配線７ａ，７ｂが２本の導電体１３ａ，１３ｂの相異なる一方に電気的に接続されている。
【００１８】
また、電力ケーブル２の両端には、他の太陽電池モジュールと接続するためのコネクタ３ａ，３ｂが取り付けられている。このコネクタ３ａ，３ｂは、予め正負両極のコネクト部を一体的に有しており、設置した太陽電池モジュールはコネクタ３ａ，３ｂを介して接続されることにより、複数の太陽電池モジュールが全て電気的に接続される。
【００１９】
次に、本実施の形態における太陽電池モジュールの並列接続配線の確認方法について説明する。
図１の構成で、最初に設置した太陽電池モジュール１−１の配線と設置し終わった最後の太陽電池モジュール１−ｍの配線に流れる電流を電流計４ａ，４ｂによりそれぞれ測定し、測定した二つの電流値Ｉａ，Ｉｂを比較することにより複数の太陽電池モジュール１−１，１−２，……，１−ｍの並列接続の配線を確認する。このとき、測定した二つの電流値Ｉａ，Ｉｂが同じである場合に、複数の太陽電池モジュール１−１，１−２，……，１−ｍが正常に接続されていると確認する。
【００２０】
すなわち、太陽電池モジュール列の両端の太陽電池モジュール１−１，１−ｍの出力コネクタ３に接続された各電流計４ａ，４ｂの電流値Ｉａ，Ｉｂを読み取り、その大きさを比較する。このとき、電力ケーブル２には接続した全ての太陽電池モジュール１−１，１−２，……，１−ｍの電流が流れているため、測定した電流値ＩａとＩｂが等しいときは、設置された太陽電池モジュール１−１，１−２，……，１−ｍが全て電気的に正常に接続されていると判定することができる。
【００２１】
一方、二つの電流計４ａ，４ｂの電流値ＩａとＩｂが異なっている場合は、設置された太陽電池モジュール列において何れかの箇所で接続がなされていないことが容易に確認される。このとき、二つの電流計４ａ，４ｂの電流値Ｉａ，Ｉｂは接続されている太陽電池モジュール数に比例するため、電流値ＩａとＩｂの比をとれば接続されていない箇所を推定することができる。
【００２２】
このような本実施の形態の配線確認方法によれば、設置された太陽電池モジュール１−１，１−２，……，１−ｍからの電流は太陽光の変化にほとんど時間遅れなしで変化するため、太陽電池モジュール設置時に雲などの影響により太陽光が激しく変化する場合でも二つの電流計４ａ，４ｂの電流値Ｉａ，Ｉｂはほぼ同時に変化するので、太陽電池モジュール１−１，１−２，……，１−ｍの接続の確認を容易に行うことができる。
【００２３】
したがって、太陽光の変化にかかわらず、また太陽電池モジュールの出力電流の小さい曇天時の場合や、アモルファス太陽電池のような高電圧、低電流タイプの太陽電池を用いた太陽電池モジュールの場合でも、太陽電池モジュールの並列接続の確認を正確かつ容易に行うことができる。
【００２４】
図４は本発明の第２の実施の形態の太陽電池モジュールの配線確認方法を示す説明図である。本実施の形態では、偶数の太陽電池モジュールの並列接続を確認する場合について説明する。
【００２５】
２ｎ個（ｎは正数）の太陽電池モジュール１−１，……，１−ｎ，１−（ｎ＋１），……，１−２ｎを順次並列接続することについては、図１の第１の実施の形態と同じであるので説明は省略する。本第２の実施の形態では、設置する太陽電池モジュール１−１，……，１−ｎ，１−（ｎ＋１），……，１−２ｎと同一の太陽電池モジュール１ａを、並列に接続した太陽電池モジュール列の一端側（ここでは最初に設置した太陽電池モジュール１−１）に更に並列に接続し、この太陽電池モジュール１−１の配線に流れる電流と太陽電池モジュール列の他端側の太陽電池モジュール１−２ｎの配線に流れる電流をそれぞれ電流計４ａ，４ｂにより測定し、それらの二つの電流値Ｉａ，Ｉｂを比較することにより偶数の太陽電池モジュール１−１，……，１−ｎ，１−（ｎ＋１），……，１−２ｎの並列接続の配線を確認する。そして、測定した二つの電流値Ｉａ，Ｉｂが同じである場合に、偶数の太陽電池モジュール１−１，……，１−ｎ，１−（ｎ＋１），……，１−２ｎが正常に接続されていると確認する。
【００２６】
すなわち、施工面に設置する太陽電池モジュールの個数が偶数の２ｎ個の場合、第ｎ番目と第ｎ＋１番目の太陽電池モジュール１−ｎ，１−（ｎ＋１）の間で接続がなされていないとき、設置した太陽電池モジュール列の両端に各々の電流計４ａ，４ｂを取り付けて電流値Ｉａ，Ｉｂを測定すると、それらの値は等しくなる。このため、設置した太陽電池モジュール１−１，……，１−ｎ，１−（ｎ＋１），……，１−２ｎは全て正しく接続されたと誤って判断する恐れがある。
【００２７】
そこで、設置した太陽電池モジュール列の何れか一方に太陽電池モジュール１ａを更に接続し、この太陽電池モジュール１ａを含めた太陽電池モジュール列の両端の太陽電池モジュールに流れる電流値Ｉａ，Ｉｂを測定して比較する。このとき、太陽電池モジュール１ａを接続した後も電流値Ｉａ，Ｉｂが同じ場合は、既に設置した２ｎ個の太陽電池モジュール１−１，……，１−ｎ，１−（ｎ＋１），……，１−２ｎは全て電気的に接続されていることが確認できる。一方、二つの電流値Ｉａ，Ｉｂが異なる場合は、第ｎ番目と第ｎ＋１番目の太陽電池モジュール１−ｎ，１−（ｎ＋１）の間で接続がなされていないことが容易に判断できる。
【００２８】
このように、本実施の形態においても、太陽光の変化にかかわらず、また太陽電池モジュールの出力電流の小さい曇天時の場合や、アモルファス太陽電池のような高電圧、低電流タイプの太陽電池を用いた太陽電池モジュールの場合でも、太陽電池モジュールの並列接続の確認を正確かつ容易に行うことができる。
【図面の簡単な説明】
【００２９】
【図１】本発明の第１の実施の形態の太陽電池モジュールの配線確認方法を示す説明図である。
【図２】太陽電池モジュールの構成を示す平面図である。
【図３】太陽電池モジュールの電力取り出しの構造を示す断面図である。
【図４】本発明の第２の実施の形態の太陽電池モジュールの配線確認方法を示す説明図である。
【符号の説明】
【００３０】
１，１ａ，１−１，１−２，１−ｍ，１−ｎ，１−（ｎ＋１），１−２ｎ  太陽電池モジュール
２  電力ケーブル
３  出力コネクタ
３ａ，３ｂ  コネクタ
４ａ，４ｂ  電流計
５ａ，５ｂ，５ｃ，５ｄ  太陽電池セル
６ａ，６ｂ，６ｃ，６ｄ  導電性粘着テープ
７ａ，７ｂ  電極用配線
８  下側充填材
９  上側充填材
１０  表面保護材
１１  裏面保護材
１２ａ，１２ｂ  端子ボックス
１３ａ，１３ｂ  導電体
【図１】
2006222120.tif 000003
【図２】
2006222120.tif 000004
【図３】
2006222120.tif 000005
【図４】
2006222120.tif 000006